(57)【要約】仕訳要素出力部１１は、証憑の画像データから少なくとも日付、金額を含む仕訳要素に対応する部分を特定する画像解析部２０と、予め学習により前記画像解析部２０により特定された部分の内容に対応する仕訳要素をテキストとして出力するための仕訳要素出力ＡＩによって、前記画像解析部２０により特定された部分の内容に対応する仕訳要素をテキストとして出力する仕訳要素出力部２１と、前記仕訳要素出力部２１から出力されたテキストの仕訳要素としての妥当性を判定し、当該妥当性に応じた２以上の態様で当該テキストに関連する表示情報を出力する仕訳要素判定部２３と、を備える。
2019146117.tif 000002
【特許請求の範囲】
【請求項１】
証憑の画像データから少なくとも日付、金額を含む仕訳要素に対応する部分を特定する画像解析部と、
前記画像解析部により特定された部分の少なくとも一部に対応する仕訳要素をテキストとして出力するための仕訳要素出力ＡＩによって、前記画像解析部により特定された部分の少なくとも一部に対応する仕訳要素をテキストとして出力する仕訳要素出力部と、
前記仕訳要素出力部から出力されたテキストの仕訳要素としての妥当性を判定し、当該妥当性に応じた２以上の態様で当該テキストに関連する表示情報を出力する仕訳要素判定部と、
を備える仕訳要素解析装置。
【請求項２】
前記仕訳要素判定部は、前記仕訳要素出力ＡＩが出力した仕訳要素のテキストの信頼度に基づいて前記テキストの仕訳要素としての妥当性を判定する請求項１記載の仕訳要素解析装置。
【請求項３】
前記仕訳要素判定部は、予め学習により前記画像データ内から仕訳要素に対応する部分を含む領域を指定するための画像解析ＡＩが出力した信頼度に基づいて前記妥当性を判定する請求項１又は２記載の仕訳要素解析装置。
【請求項４】
請求項１から請求項３のいずれか一項に記載の仕訳要素解析装置と、
前記仕訳要素のテキストを確定する仕訳要素確定部と、
前記仕訳要素確定部により確定された仕訳要素に基づく勘定科目を出力する仕訳部と、を備える会計処理装置。
【請求項５】
証憑の画像データから少なくとも日付、金額を含む仕訳要素 に対応する部分を特定する画像解析工程と、
前記画像解析工程により特定された部分の少なくとも一部に対応する仕訳要素をテキストとして出力するための仕訳要素出力ＡＩによって、前記画像解析工程により特定された部分の少なくとも一部に対応する仕訳要素をテキストとして出力する仕訳要素出力工程と、
前記仕訳要素出力工程にて出力されたテキストの仕訳要素としての妥当性を判定し、該妥当性に応じた２以上の態様で当該テキストに関連する表示情報を出力する仕訳要素判定工程と、
を備える仕訳要素解析方法。
【請求項６】
コンピュータに、請求項５に記載の仕訳要素解析方法を実行させるための仕訳要素解析プログラム。
【発明の詳細な説明】
【技術分野】
【０００１】
本発明は金融機関の通帳やレシート等の証憑の画像データから日付、取引先、金額、摘要等の仕訳要素を抽出する仕訳要素解析装置、会計処理装置、仕訳要素解析方法、仕訳要素解析プログラムに関する。
【背景技術】
【０００２】
従来、証憑の会計処理として、税理士や会計士、簿記担当者が証憑に記載の情報を一件一件読み取り、例えば日付、取引先、金額等の仕訳要素を帳簿に入力し、当該仕訳要素に対応した勘定科目を経験的に判断して仕訳の入力を行っていた。【０００３】
このように、証憑を人間が一件一件読み取って仕訳を行うのでは作業効率が悪い上、仕訳の精度は担当者の経験に依存するところが大きく、仕訳の精度にばらつきが生じるという問題があった。【０００４】
そこで、ＯＣＲ（Optical Character Reader）装置を用いて、証憑の内容を電子データとして読み取り、インターネットを介して仕訳解析センターシステムに送信するだけで、その証憑に示される簿記上の取引についての仕訳の結果をユーザが参照することが可能となるいわゆるクラウド型の会計処理システムが開発されている（特許文献１、２参照）。【０００５】
詳しくは、特許文献１に記載された技術では、携帯端末等で撮影した証憑データを仕訳要素抽出手段によって解析して仕訳要素情報をテキスト形式のデータとして抽出している。そして、会計ソフトを所有する登録ユーザについては、当該登録ユーザの過去履歴を参照して証憑記載の取引と類似取引の仕訳を抽出し、その使用頻度に応じて推奨仕訳を提示する。一方、非登録ユーザについては全ユーザ（全国多数の個人や企業）の使用人数が一番多い仕訳を推奨仕訳としてユーザに提示する。また、当該特許文献１では、新たな仕訳が生じたり、ユーザ側で仕訳を修正したりした場合には、学習手段により仕訳に用いるデータベースを更新することで、各ユーザが使い込むほど仕訳の結果が最適化される。【０００６】
また、特許文献２に記載された技術では、手入力またはＯＣＲ装置により取引の情報を電子化し、一般的な商取引からの推論（一般推論）、過去に入力した仕訳に類似しているものからの推論（履歴推論）、売掛金や借入金などの事前に発生した会計事象からの推論（消込推論）の３つの推論によって仕訳を行っている。
【先行技術文献】
【特許文献】
【０００７】
【特許文献１】特開２０１４−２３５４８４号公報
【特許文献２】特開２００７−３０４６４３号公報
【発明の概要】
【発明が解決しようとする課題】
【０００８】
上記特許文献１、２では、ＯＣＲ装置を用いて証憑から仕訳要素を抽出しているが、証憑の表示形式は様々であり、仕訳要素の抽出精度を高くすることは容易ではない。例えば、金融機関の通帳は金融機関によって記載形式が異なっており、レシートは各社記載形式が異なっており、領収書に関しては手書きのものもあり、証憑の表示形式は安定していない。【０００９】
このように証憑の種類が様々ある上、証憑をスキャンする際に、例えば証憑に汚れが付着していたり、印字がかすれていたりすると、さらに仕訳要素を正確に抽出することは困難となる。そして、抽出した仕訳要素が誤っていると、特許文献１、２のような技術を用いた場合、正確な仕訳を行うことは不可能となる。【００１０】
本発明はこのような問題点を解決するためになされたもので、その目的とするところは、証憑に記載された仕訳要素の入力作業の効率を向上させるとともに、仕訳要素の抽出の精度を確保することができ、より正確な自動仕訳を実現することのできる仕訳要素解析装置、会計処理装置、仕訳要素解析方法、及び仕訳要素解析プログラムを提供することにある。
【課題を解決するための手段】
【００１１】
上記した目的を達成するために、本発明に係る仕訳要素解析装置は、証憑の画像データから少なくとも日付、金額を含む仕訳要素に対応する部分を特定する画像解析部と、前記画像解析部により特定された部分の少なくとも一部に対応する仕訳要素をテキストとして出力するための仕訳要素出力ＡＩによって、前記画像解析部により特定された部分の少なくとも一部に対応する仕訳要素をテキストとして出力する仕訳要素出力部と、前記仕訳要素出力部から出力されたテキストの仕訳要素としての妥当性を判定し、当該妥当性に応じた２以上の態様で当該テキストに関連する表示情報を出力する仕訳要素判定部と、を備える。【００１２】
上述の仕訳要素解析装置において、前記仕訳要素出力部は、前記仕訳要素出力ＡＩが出力した仕訳要素のテキストの信頼度に基づいて前記テキストの仕訳要素としての妥当性を判定してもよい。【００１３】
また、上述の仕訳要素解析装置において、前記仕訳要素判定部は、予め学習により前記画像データ内から仕訳要素に対応する部分を含む領域を指定するための画像解析ＡＩが出力した信頼度に基づいて前記妥当性を判定してもよい。【００１４】
本発明に係る会計処理装置は、上述の仕訳要素解析装置と、前記仕訳要素のテキストを確定する仕訳要素確定部と、前記仕訳要素確定部により確定された仕訳要素に基づく勘定科目を出力する仕訳部と、を備える。【００１５】
また、上記した目的を達成するために、本発明に係る仕訳要素解析方法は、証憑の画像データから少なくとも日付、金額を含む仕訳要素 に対応する部分を特定する画像解析工程と、前記画像解析工程により特定された部分の少なくとも一部に対応する仕訳要素をテキストとして出力するための仕訳要素出力ＡＩによって、前記画像解析工程により特定された部分の少なくとも一部に対応する仕訳要素をテキストとして出力する仕訳要素出力工程と、前記仕訳要素出力工程にて出力されたテキストの仕訳要素としての妥当性を判定し、該妥当性に応じた２以上の態様で当該テキストに関連する表示情報を出力する仕訳要素判定工程と、を備える。【００１６】
また、上記した目的を達成するために、仕訳要素解析プログラムでは、コンピュータに、上述の仕訳要素解析方法を実行させる。
【発明の効果】
【００１７】
上記手段を用いる本発明によれば、証憑に記載された仕訳要素の入力作業の効率を向上させるとともに、仕訳要素の抽出の精度を確保することができ、より正確な自動仕訳を実現することができる。
【図面の簡単な説明】
【００１８】
【図１】本発明の一実施形態に係る仕訳要素解析部を含む会計処理システムを示したシステム構成図である。
【図２】仕訳要素解析部により実行される仕訳要素解析の流れを示したフローチャートである。
【図３】表示部に表示される第１の表示例である。
【図４】表示部に表示される第２の表示例である。
【発明を実施するための形態】
【００１９】
以下、本発明の一実施形態を図面に基づき説明する。
【００２０】
図１は本発明の一実施形態に係る仕訳要素解析部を含む会計処理システムを示したシステム構成図であり、同図に基づき本実施形態の構成について説明する。
【００２１】
図１に示すように、本実施形態に係る会計処理システム１は、インターネット、ＶＰＮ（Virtual Private Network）等の通信網２を介して、ユーザ側の各装置と会計処理サービス提供者側の会計処理装置１０とが接続されて構成されている。なお、説明の簡略化のため図１では一人のユーザのみを示しているが、会計処理装置１０は通信網２を介して複数のユーザと接続可能である。
【００２２】
ユーザは、例えば税理士及び会計士等の専門家であったり、直接会計処理を行う法人や個人等であり、少なくとも読取装置３と情報端末４を有している。
【００２３】
読取装置３は、例えばスキャナ又はカメラ等の光学機器であり、証憑を画像データとして取り込める装置である。なお、本実施形態及び特許請求の範囲における「証憑」という文言は、金融機関の通帳（以下、単に通帳という）、領収書やレシート、その他の受領書、請求書、納品書、会計上金銭授受の証明となる書類、電子マネー等のＩＣカードによる取引情報も含むものとする。
【００２４】
情報端末４は、例えばパーソナルコンピュータ（以下、ＰＣという）や、スマートフォン、タブレットＰＣ、及び携帯電話のような携帯端末であり、少なくともｗｅｂ情報を表示可能な端末である。
【００２５】
ユーザは、読取装置３により証憑の画像データを取得して、情報端末４により会計処理装置１０に送信可能であるとともに、会計処理装置１０からの情報を受信可能である。なお、図１では読取装置３と情報端末４とが別体のように示しているが、カメラ付きの携帯端末のように読取装置３と情報端末４とが一体であってもよい。また、ユーザ自身が読取装置３を所有している必要はなく、例えば外部の読取装置により読み取った証憑の画像データをメールやｗｅｂを介して取得してもよい。
【００２６】
一方、会計処理サービス提供者（以下、単にサービス提供者ともいう）は、いわゆるクラウドコンピューティングにより会計処理サービスを提供する事業者であり、会計処理装置１０を管理する者である。
【００２７】
会計処理装置１０は、プログラムに基づき仕訳処理を実行する１又は複数のサーバ（コンピュータ）を有し、機能的には主に、証憑の画像データから仕訳要素を抽出して解析を行う仕訳要素解析部１１（仕訳要素解析装置）と、解析した仕訳要素を確定する仕訳要素確定部１２と、確定された仕訳要素に基づいて自動仕訳を行う仕訳部１３と、仕訳要素出力ＡＩ及び仕訳ＡＩを生成する学習システム１４と、を有している。
【００２８】
さらに、仕訳要素解析部１１は、画像解析部２０、仕訳要素出力部２１、表示部２２、及び仕訳要素判定部２３とを有している。
【００２９】
画像解析部２０は、ユーザから証憑の画像データを受信し、当該画像データから仕訳要素に対応する部分を特定する画像解析機能を有している。
【００３０】
仕訳要素としては、例えば日付、金額、取引先、摘要（但し書き、商品名含む）、取引元（宛名含む）があり、これらに対応する数字、文字、図形（例えばロゴマーク、印影、その他企業を特定可能な図柄）、及び証憑の外観（例えば通帳や領収書の大きさ、色）がある。
【００３１】
画像解析部２０は、例えば日付については、「日付」「年」「月」「日」等の文字や「／」等の記号の前後や上下の数字部分を特定する。金額については「￥」等の記号や「金額」「支払い」「預り」「残高」「円」等の文字の前後や上下の数字部分を特定する。また、取引先については、「株式会社」「（株）」「（カ）」等の文字の前後の文字部分や、ロゴマーク、電話番号、証憑の外観を特定して、これらの情報に基づく会社名や個人名に対応する部分を特定する。摘要については、「但」等の文字に続く文字部分を特定する。取引元については、「様」等の文字の前にある文字の部分を特定する。
【００３２】
なお、仕訳要素はこれに限られるものではなく、また仕訳要素の抽出に用いる数字、文字、図形もこれに限られるものではない。例えば、証憑に、購入品の数量が記載されている場合には数量を仕訳要素として含めてもよいし、同席者の名前や人数等の情報が記載されている場合には、同席者及び人数を仕訳要素として含めてもよい。また、各企業を特定するために設定された番号（法人番号、事業所番号）を抽出してもよい。
【００３３】
具体的には、画像解析部２０は、入力された画像データが通帳をスキャンしたものである場合は、日付、取引内容、支払い、預り、残高等に対応した部分を含む領域を指定することで仕訳要素に対応する部分の特定を行う。また、画像データがレシートや領収書をスキャンしたものである場合は、日付部分、ロゴや会社名の部分、金額部分、但し書き部分を含む領域を指定することで仕訳要素に対応する部分の特定を行う。
【００３４】
画像解析部２０は、このような領域の指定を画像解析ＡＩにより行う。画像解析ＡＩは、学習システム１４において、機械学習により画像データ内から仕訳要素に対応する部分を含む領域を指定することを学習したＡＩである。そして、画像解析部２０は、画像解析ＡＩの画像解析における信頼度を出力することも可能である。画像解析の信頼度は、画像解析ＡＩの判断の確度であり、例えばパーセントで表すことが可能である。例えば、画像解析ＡＩは仕訳要素に対応する部分を正確に特定できないと指定する領域を広くするため、このような場合は画像解析の信頼度は低くなる。一方、仕訳要素に対応する部分を正確に特定できる場合は、仕訳要素に対応する部分と指定領域がほぼ一致し、画像解析の信頼度は高くなる。つまり、画像解析の信頼度が高いほど特定された仕訳要素の部分の妥当性が高く、当該信頼度が低いほど仕訳要素の部分の妥当性が低くなる。
【００３５】
仕訳要素出力部２１は、仕訳要素出力ＡＩによって、画像解析部２０により特定された部分の内容に対応する仕訳要素をテキストとして出力する文字認識機能を有している。仕訳要素出力ＡＩは、学習システム１４において、予め機械学習により画像解析部２０により特定された部分の内容に対応する仕訳要素をテキストとして出力することを学習したＡＩである。例えば、仕訳要素出力ＡＩは、日付部分や金額部分においては数字を認識して年月日や金額のテキストを出力し、取引先に対応する部分や摘要に対応する部分においては文字を認識して取引先や摘要のテキストを出力する。
【００３６】
仕訳要素出力部２１は、文字や数字を認識してテキストを出力するだけでなく、例えば、ロゴマークや印影又は電話番号のみが特定された場合には、図示しないが予め企業情報を記憶した企業情報ＤＢより検索して、又はインターネットに公開されている情報を検索することで、取引先名のテキストとして出力してもよい。また、レシート等のように宛名の記載がない場合には、画像データを送信してきたユーザ名を取引元のテキストとして出力してもよいし、ユーザの顧客である企業を予め設定しておき当該ユーザから送信された画像データはその設定された企業名を取引元のテキストとして出力してもよい。
【００３７】
また仕訳要素出力部２１は、仕訳要素出力ＡＩにより出力した仕訳要素のテキストの信頼度、即ち文字認識の信頼度も出力可能である。文字認識の信頼度は仕訳要素出力ＡＩの判断の確度であり、例えばパーセントで表すことが可能である。つまり、文字認識の信頼度が高いほど仕訳要素出力ＡＩにより出力された仕訳要素のテキストは仕訳要素として妥当性が高く、信頼度が低いほど妥当性が低くなる。
【００３８】
表示部２２は、例えば会計処理装置１０のディスプレイであり、仕訳要素出力部２１より出力された仕訳要素のテキストを表示する機能を有している。
【００３９】
仕訳要素判定部２３は、仕訳要素出力部２１より出力されたテキストの仕訳要素としての妥当性を判定し、妥当性に応じた２以上の態様で当該テキストに関連する表示情報を出力する機能を有している。具体的には、仕訳要素判定部２３は妥当でないテキストについては通常表示と異なる警告表示を表示部２２に表示させる。仕訳要素のテキストの妥当性は、仕訳要素出力部２１が出力する文字認識の信頼度や、画像解析部２０による画像認識の信頼度を用いて判定する。
【００４０】
本実施形態では、仕訳要素判定部２３において、予め文字認識の信頼度Ｒｃにおける第１の閾値Ｒｃ１及び第２の閾値Ｒｃ２（Ｒｃ１＞Ｒｃ２）と、画像解析の信頼度Ｒｉにおける第３の閾値Ｒｉ３とが設定されており、これらの信頼度の閾値に基づいて妥当性の度合いを判定する。
【００４１】
そして、仕訳要素判定部２３には、各信頼度の度合い応じて通常表示、第１の警告表示、第２の警告表示が設定されている。例えば、仕訳要素判定部２３は、テキスト化した仕訳要素の文字認識の信頼度Ｒｃが、第１の閾値Ｒｃ１（例えば８０％）以上である場合は、仕訳要素としての妥当性が高いと判断し、当該テキストは通常表示とする。文字認識の信頼度Ｒｃが第１の閾値Ｒｃ１未満、第２の閾値Ｒｃ２（例えば５０％）以上であり、且つ画像解析の信頼度Ｒｉが第３の閾値Ｒｉ３（例えば５０％）以上であれば、仕訳要素としての妥当性が中程度と判断し、当該テキストは第１の警告表示とする。文字認識の信頼度Ｒｃが第２の閾値Ｒ２未満、又は画像解析の信頼度Ｒｉが第３の閾値Ｒｉ３未満である場合は、仕訳要素の妥当性が低いと判断し、当該テキストは第２の警告表示とする。
【００４２】
警告表示は、通常表示と異なる表示であればよく、表示形式は特に限定されず、例えば該当する仕訳要素のテキストに下線を記載したり、文字色を異ならせたり、テキストの近くにフラグを表示する等して表現する。また警告表示の種類も妥当性に応じて複数設定してもよいし、１種類のみでもよい。
【００４３】
次に、仕訳要素確定部１２は、サービス提供者又は仕訳要素確定用のプログラムにより、表示部２２に表示された仕訳要素のテキストを確定させる確定処理を行う。これは、例えばサービス提供者側の担当者が表示部２２に表示された仕訳要素を確認して、問題のない仕訳要素についてはそのまま確定操作を行い、問題のある仕訳要素については修正作業を行った上で確定操作を行う。
【００４４】
仕訳部１３は、仕訳要素確定部１２により確定された仕訳要素に応じた勘定科目を出力する機能を有している。この仕訳要素に応じた勘定科目の出力は、例えば仕訳ＡＩにより行う。仕訳ＡＩは、学習システム１４において、予め機械学習により仕訳要素に対する勘定科目を出力することを学習した自動仕訳のＡＩである。当該仕訳部１３において出力された勘定科目は、仕訳要素と共に、仕訳結果としてユーザの情報端末４に送信される。
【００４５】
学習システム１４は、上述した仕訳要素出力ＡＩ及び仕訳ＡＩを学習させ、学習済みのＡＩを供給する機能を有している。詳しくは、学習システム１４は、証憑の画像データと当該画像データに含まれる仕訳要素からなる学習用データに基づき機械学習（いわゆるディープラーニング）させることで、画像解析ＡＩや仕訳要素出力ＡＩを生成する。また、学習システム１４は、仕訳要素と当該仕訳要素に対応する勘定科目からなる学習用データに基づき機械学習させることで、仕訳ＡＩを生成する。
【００４６】
このように構成された会計処理装置１０は、仕訳要素解析部１１において、画像解析部２０により証憑の画像データから仕訳要素の部分を特定し、仕訳要素出力部２１により仕訳要素をテキスト化して表示部２２に表示し、仕訳要素判定部２３により仕訳要素のテキストの妥当でないものを判定して警告表示を行う。そして、表示部２２に表示された仕訳要素のテキストをサービス提供者側が確認して、仕訳要素確定部１２により確定した仕訳要素に基づいて、仕訳部１３により自動仕訳が行われる。
【００４７】
ここで図２を参照すると、仕訳要素解析部１１により実行される仕訳要素解析の流れを示したフローチャートが示されており、以下同フローチャートに沿って、仕訳要素解析方法について詳しく説明する。なお、当該仕訳要素解析は、ユーザからの証憑の画像データを受信すると、解析をスタートする。
【００４８】
まず、ステップＳ１として、仕訳要素解析部１１は画像解析部２０により、証憑の画像データ内の仕訳要素部分を特定する（画像解析工程）。このとき、画像認識の信頼度Ｒｉ仕訳要素判定部２３に出力される。
【００４９】
そして、ステップＳ２では、仕訳要素出力部２１において、仕訳要素出力ＡＩにより仕訳要素特定部分内の仕訳要素をテキスト化する（仕訳要素出力工程）。テキスト化された仕訳要素は表示部２２に表示される一方、仕訳要素出力ＡＩによる文字認識の信頼度Ｒｃとともに仕訳要素判定部２３に出力される。
【００５０】
ステップＳ３では、仕訳要素判定部２３において、テキスト化された仕訳要素の文字認識の信頼度Ｒｃが第１の閾値Ｒｃ１未満であるか否かを判定する（仕訳要素判定工程）。当該判定結果が偽（Ｎｏ）である場合、即ち文字認識の信頼度Ｒｃが第１の閾値Ｒｃ１以上である場合は、このテキスト化された仕訳要素の妥当性は高いと判断し、ステップＳ４に進む。
【００５１】
ステップＳ４では、仕訳要素判定部２３は、表示部２２にテキスト化された仕訳要素を通常表示で表示し、当該ルーチンをリターンする。
【００５２】
一方、ステップＳ３の判定結果が真（Ｙｅｓ）であった場合、即ち文字認識の信頼度Ｒｃが第１の閾値Ｒｃ１未満であった場合はステップＳ５に進む。
【００５３】
ステップＳ５において、仕訳要素判定部２３は、文字認識の信頼度Ｒｃが第２の閾値Ｒｃ２未満であるか否かを判定する（仕訳要素判定工程）。当該判定結果が偽（Ｎｏ）である場合、即ち文字認識の信頼度Ｒｃが第２の閾値Ｒｃ２以上である場合はステップＳ６に進む。
【００５４】
ステップＳ６において、仕訳要素判定部２３は、画像解析の信頼度Ｒｉが第３の閾値Ｒｉ３未満であるか否かを判定する（仕訳要素判定工程）。当該判定結果が偽（Ｎｏ）である場合、即ち信頼度Ｒｉが第３の閾値Ｒｉ３以上である場合は、このテキスト化された仕訳要素の妥当性は中程度であると判断しステップＳ７に進む。
【００５５】
ステップＳ７において、仕訳要素判定部２３は、表示部２２にテキスト化された仕訳要素を第１の警告表示で表示し、当該ルーチンをリターンする。
【００５６】
一方、ステップＳ５の判定結果及びステップＳ６の判定結果のいずれかが真（Ｙｅｓ）であった場合、即ち文字認識の信頼度Ｒｃが第２の閾値Ｒｃ２未満であるか、画像解析の信頼度Ｒｉが第３の閾値Ｒｉ３未満である場合は、このテキスト化された仕訳要素の妥当性は低いと判断し、ステップＳ８に進む。
【００５７】
ステップＳ８において、仕訳要素判定部２３は、表示部２２にテキスト化された仕訳要素を第２の警告表示で表示し、当該ルーチンをリターンする。
【００５８】
当該ルーチンは、証憑の画像データ内にて特定された仕訳要素の全てにおいての判定が終了するまで継続される。
【００５９】
ここで図３、図４を参照すると、表示部３３に表示される表示例がそれぞれ示されており、これらの図に基づき、具体的な仕訳要素の表示について説明する。
【００６０】
図３に示す第１の表示例は、通帳の画像データから仕訳要素を抽出した場合の表示例であり、画面左側にスキャンされた通帳の元画像が表示され、画面右側に仕訳要素出力部２１及び仕訳要素判定部２３より出力されたテキスト化された仕訳要素が表示されている。
【００６１】
詳しくは、通帳は一行ごとに取引が記載され、複数の取引がまとめて一つの画像上に表示される。元画像において点線で示されているように、画像解析部２０により日付、取引内容、支払い、預り、残高の文字が認識され、その下方向の範囲を仕訳要素に対応する部分として領域指定されている。なお、この点線は実際には表示部２２に表示されていなくてもよい。
【００６２】
読取結果には、元画像と同様の配列で、日付、取引内容、支払い、預り、残高の項目が形成されている。なお、各項目の配列は必ずしも元画像と一致していなくてもよい。
【００６３】
そして、読取結果には、仕訳要素出力ＡＩによりテキスト化された仕訳要素が表示されている。例えば一行目の取引では、日付として「29-1-10」、取引内容として「振込」、支払いとして「カ)ABC」、預りとして「30,000」、残高として「130,000」が通常表示で表示されている。
【００６４】
一方、元画像には、通帳に付いた汚れ３０やゴミ３１も表示されている。このような汚れ３０やゴミ３１が仕訳要素部分と重なっていると、仕訳要素出力ＡＩは仕訳要素を正確にテキスト化することができず、信頼度が低くなる。その結果、仕訳要素判定部２３において妥当でないと判定された仕訳要素については警告表示がなされる。
【００６５】
具体的には図３においては、２行目の取引の残高は元画像では「30,000」であるが汚れ３０のため、読取結果において仕訳要素出力ＡＩは「80,000」と誤って認識している。ここで仕訳要素判定部２３はこの「80,000」の信頼度及び位置関係を判定した結果、中程度の妥当性と判定し、「80,000」の下に下線を引いた第１の警告表示を行っている。
【００６６】
また、４行目の取引においては元画像において、取引内容の「振込」、支払いの「カ)DEF」、預りの「120,000」に跨ってゴミ３１が重なっているために、読取結果において仕訳要素出力ＡＩは支払いについて「カ)BEF」と誤って認識している。取引内容の「振込」と、預りの「120,000」については正しくテキスト化されているが、仕訳要素出力ＡＩとしての信頼度は低くなり、仕訳要素判定部２３は「カ)BEF」も含めていずれも妥当性が低いと判断し、二重下線が引かれた第２の警告表示が行っている。
【００６７】
次に図４の第２の表示例は、レシートの画像データから仕訳要素を抽出した場合の表示例であり、画面左側にスキャンされたレシートの元画像が表示され、画面右側に仕訳要素出力部２１及び仕訳要素判定部２３より出力されたテキスト化された仕訳要素が表示されている。
【００６８】
詳しくは、レシートは一画像について一取引が記載されて表示される。このような場合、元画像において点線で示されているように、画像解析部２０は日付に対応する部分４０ａと、金額に対応する部分４１ａと、社名に対応する部分４２ａを特定しており、これらの拡大図４０ｂ、４１ｂ、４２ｂが読取結果に表示されている。なお、この点線は実際には表示部２２に表示されていなくてもよい。
【００６９】
読取結果には、対応する拡大図の上に、仕訳要素出力ＡＩによりテキスト化された日付、金額、社名が記載されている。
【００７０】
具体的には、日付に対応する部分４０ａ、４０ｂは正しくは「2019/10/10」と記載されているが、最後の「0」の印字がかすれているために、仕訳要素出力ＡＩは「２０１９年１０月１日」と誤ってテキスト化している。これに対して仕訳要素判定部２３は、当該日付のテキストは信頼度が低く妥当性が中程度と判断して、白抜きのフラグ４３である第１の警告表示を行っている。
【００７１】
また、金額に対応する部分４１ａ、４１ｂは、本来は画像解析部２０が「合計  \1,080」の部分を特定すべきところ、「紅茶  \500」の部分を特定している。このような場合、仕訳要素判定部２３は、画像解析部２０により指定された合計金額を示す領域に合計金額部分が含まれていない上、指定領域が広いため、文字認識の信頼度及び画像解析の信頼度は低くなることから、妥当性が低いと判断して、読取結果の金額欄に黒いフラグ４４である第２の警告表示を行っている。
【００７２】
一方、社名に対応する部分４２ａ、４２ｂについては、仕訳要素判定部２３は妥当性が高いと判断しフラグ等を付していない通常表示としている。
【００７３】
以上のように、本実施形態における会計処理システム１では、仕訳要素解析部１１において、仕訳要素出力部２１が仕訳要素出力ＡＩを用いて証憑の画像から仕訳要素のテキストを抽出することで、証憑を人間が一件一件読み取るような作業を省くことができ、仕訳要素の入力作業の効率を向上させることができる。
【００７４】
その一方で、仕訳要素判定部２３が仕訳要素出力ＡＩにより抽出された仕訳要素のテキストの妥当性を判定し、通常表示や警告表示等のように、当該妥当性に応じた２以上の態様で当該テキストに関連する表示情報を出力することで、問題がある仕訳要素について容易に確認を行うことができる。これにより、仕訳要素の抽出の精度を確保することができる。
【００７５】
特に、仕訳要素出力ＡＩは仕訳要素のテキスト化とともにその信頼度（文字認識の信頼度）を出力し、仕訳要素判定部２３が当該信頼度に基づいて仕訳要素としての妥当性を判定することで、容易に且つ適切に仕訳要素の判定を行うことができる。
【００７６】
また、仕訳要素判定部２３は、画像解析部２０の画像解析ＡＩによる画像解析の信頼度に基づいても妥当性を判定することで、より正確に仕訳要素の妥当性を判定することができる。
【００７７】
さらに、仕訳要素判定部２３は、妥当でないテキストに対して、妥当性の度合いに応じて異なる警告表示を行うことで、より詳細に仕訳要素の妥当性を表現することができ、より精密に仕訳要素の妥当性を確認することができる。
【００７８】
そして、仕訳要素判定部２３により判定された結果に基づいて仕訳要素を確定し、仕訳部１３による自動仕訳を行うことで、より正確な自動仕訳を実現することができる。
【００７９】
以上のことから、本実施形態に係る仕訳要素解析部１１を含む会計処理装置１０は、証憑に記載された仕訳要素の入力作業の効率を向上させるとともに、仕訳要素の抽出の精度を確保することができ、より正確な自動仕訳を実現することができる
【００８０】
以上で本発明の実施形態の説明を終えるが、本発明の態様はこの実施形態に限定されるものではない。
【００８１】
例えば、上記実施形態では、図３、４の表示例に基づき、証憑として通帳とレシートの仕訳要素の抽出について説明したが、証憑の種類はこれに限られるものではない。
【００８２】
また、上記実施形態では、画像解析部２０の画像解析ＡＩにより画像データ内の仕訳要素に対応する部分を特定しているが、この機能を仕訳要素出力ＡＩが備えていてもよい。
【００８３】
また、上記実施形態では、文字認識の信頼度Ｒｃと画像解析の信頼度Ｒｉの２つの信頼度に基づいて仕訳要素のテキストの妥当性を判定しているが、両信頼度を一つにまとめて、１つの信頼度を用いて当該妥当性を判定してもよい。この両信頼度を一つにまとめる手法が、計算により行ってもよいし、画像解析についても学習した仕訳要素出力ＡＩが両信頼度を一つにまとめた信頼度を出力してもよい。
【００８４】
また、上記実施形態では、仕訳部１３において仕訳ＡＩを用いて自動仕訳を行っているが、ＡＩを用いない自動仕訳用プログラムにより仕訳を行ってもよい。
【００８５】
また、上記実施形態では、文字認識の信頼度Ｒｃにおける第１の閾値Ｒｃ１、第２の閾値Ｒｃ２、及び画像解析の信頼度Ｒｉにおける第３の閾値Ｒｉ３を設定しているが、閾値の設定数はこれに限られるものでない。
【００８６】
また、仕訳要素判定部は、妥当でない仕訳要素のテキストに対して、他の仕訳要素に基づいて、より妥当なテキストに補正する機能を有していてもよい。例えば、図３の表示例において、２行目の取引の残高が汚れ３０によって「30,000」を「80,000」と誤って出力しているが、１行目の残高「130,000」と２行目の支払いの額「100,000」との関係（130,000-100,000＝30,000）から、又は３行目の残高「20,000」と支払い「10,000」との関係（20,000+10,000＝30,000）から、２行目の残高が「30,000」となることは明らかである。したがって、このような他の仕訳要素から、より妥当な仕訳要素に補正できる場合、仕訳要素判定部は２行目の残高を「30,000」と補正したテキストとして表示してもよい。
【００８７】
このように、妥当性の低い仕訳要素のテキストについて補正することで、修正作業を削減でき、さらなる作業効率の向上を図ることができる。また、この補正に用いる他の仕訳要素は、仕訳要素判定部により妥当である判定がなされた仕訳要素を用いるのが好ましい。なお、補正したテキストに対しては警告表示を行ってよいし、行わなくてもよい。
【符号の説明】
【００８８】
１  会計処理システム
２  通信網
３  読取装置
４  情報端末
１０  会計処理装置
１１  仕訳要素解析部（仕訳要素解析装置）
１２  仕訳要素確定部
１３  仕訳部
１４  学習システム
２０  画像解析部
２１  仕訳要素出力部
２２  表示部
２３  仕訳要素判定部
【図１】
2019146117.tif 000003
【図２】
2019146117.tif 000004
【図３】
2019146117.tif 000005
【図４】
2019146117.tif 000006
【手続補正書】
【提出日】平成30年5月19日(2018.5.19)
【手続補正１】
【補正対象書類名】特許請求の範囲
【補正対象項目名】全文
【補正方法】変更
【補正の内容】
【特許請求の範囲】
【請求項１】
証憑の画像データから少なくとも日付、金額を含む仕訳要素に対応する部分を特定する画像解析部と、
前記画像解析部により特定された部分の少なくとも一部に対応する仕訳要素をテキストとして出力するための仕訳要素出力ＡＩによって、前記画像解析部により特定された部分の少なくとも一部に対応する仕訳要素をテキストとして出力する仕訳要素出力部と、
前記仕訳要素に基づく仕訳を行う前に、前記仕訳要素出力部から出力されたテキストの仕訳要素としての妥当性を判定し、当該妥当性に応じた２以上の態様で当該テキストに関連する表示情報を出力する仕訳要素判定部と、
を備える仕訳要素解析装置。
【請求項２】
前記仕訳要素判定部は、前記仕訳要素出力ＡＩが出力した仕訳要素のテキストの信頼度に基づいて前記テキストの仕訳要素としての妥当性を判定する請求項１記載の仕訳要素解析装置。
【請求項３】
前記仕訳要素判定部は、予め学習により前記画像データ内から仕訳要素に対応する部分を含む領域を指定するための画像解析ＡＩが出力した信頼度に基づいて前記妥当性を判定する請求項１又は２記載の仕訳要素解析装置。
【請求項４】
請求項１から請求項３のいずれか一項に記載の仕訳要素解析装置と、
前記仕訳要素のテキストを確定する仕訳要素確定部と、
前記仕訳要素確定部により確定された仕訳要素に基づく勘定科目を出力する仕訳部と、を備える会計処理装置。
【請求項５】
コンピュータにより、
証憑の画像データから少なくとも日付、金額を含む仕訳要素に対応する部分を特定する画像解析工程と、
前記画像解析工程により特定された部分の少なくとも一部に対応する仕訳要素をテキストとして出力するための仕訳要素出力ＡＩによって、前記画像解析工程により特定された部分の少なくとも一部に対応する仕訳要素をテキストとして出力する仕訳要素出力工程と、
前記仕訳要素に基づく仕訳を行う前に、前記仕訳要素出力工程にて出力されたテキストの仕訳要素としての妥当性を判定し、該妥当性に応じた２以上の態様で当該テキストに関連する表示情報を出力する仕訳要素判定工程と、
を実行する仕訳要素解析方法。
【請求項６】
コンピュータに、請求項５に記載の仕訳要素解析方法を実行させるための仕訳要素解析プログラム。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
証憑の画像データ内から仕訳要素に対応する部分を含む領域を指定することを学習した画像解析ＡＩにより証憑の画像データから少なくとも日付、金額を含む仕訳要素に対応する部分を特定する画像解析部と、
前記画像解析部により特定された部分の少なくとも一部に対応する仕訳要素をテキストとして出力するための仕訳要素出力ＡＩによって、前記画像解析部により特定された部分の少なくとも一部に対応する仕訳要素をテキストとして出力する仕訳要素出力部と、
前記仕訳要素に基づく仕訳を行う前に、前記仕訳要素出力部から出力されたテキストの仕訳要素としての妥当性を判定し、当該妥当性に応じた２以上の態様で当該テキストに関連する表示情報を出力する仕訳要素判定部と、
を備え、
前記仕訳要素判定部は、前記仕訳要素出力ＡＩが出力した仕訳要素の文字認識の信頼度と、前記画像解析ＡＩが出力した画像認識の信頼度とに基づいて、前記仕訳要素出力部から出力されたテキストの仕訳要素としての妥当性を判定する仕訳要素解析装置。
【請求項２】
請求項１に記載の仕訳要素解析装置と、
前記仕訳要素のテキストを確定する仕訳要素確定部と、
前記仕訳要素確定部により確定された仕訳要素に基づく勘定科目を出力する仕訳部と、を備える会計処理装置。
【請求項３】
コンピュータにより、
証憑の画像データ内から仕訳要素に対応する部分を含む領域を指定することを学習した画像解析ＡＩにより証憑の画像データから少なくとも日付、金額を含む仕訳要素に対応する部分を特定する画像解析工程と、
前記画像解析工程により特定された部分の少なくとも一部に対応する仕訳要素をテキストとして出力するための仕訳要素出力ＡＩによって、前記画像解析工程により特定された部分の少なくとも一部に対応する仕訳要素をテキストとして出力する仕訳要素出力工程と、
前記仕訳要素に基づく仕訳を行う前に、前記仕訳要素出力工程にて出力されたテキストの仕訳要素としての妥当性を判定し、該妥当性に応じた２以上の態様で当該テキストに関連する表示情報を出力する仕訳要素判定工程と、を実行し、
前記仕訳要素判定工程では、前記仕訳要素出力ＡＩが出力した仕訳要素の文字認識の信頼度と、前記画像解析ＡＩが出力した画像認識の信頼度とに基づいて、前記仕訳要素出力工程にて出力されたテキストの仕訳要素としての妥当性を判定する仕訳要素解析方法。
【請求項４】
コンピュータに、請求項３に記載の仕訳要素解析方法を実行させるための仕訳要素解析プログラム。
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
証憑の画像データ内から仕訳要素に対応する部分を含む領域を指定することを学習した画像解析ＡＩにより証憑の画像データから少なくとも日付、金額を含む仕訳要素に対応する部分を特定する画像解析部と、
前記画像解析部により特定された部分の少なくとも一部に対応する仕訳要素をテキストとして出力するための仕訳要素出力ＡＩによって、前記画像解析部により特定された部分の少なくとも一部に対応する仕訳要素をテキストとして出力する仕訳要素出力部と、
前記仕訳要素に基づく仕訳を行う前に、前記仕訳要素出力部から出力されたテキストの仕訳要素としての妥当性を判定し、当該妥当性に応じた２以上の態様で当該テキストに関連する表示情報を出力する仕訳要素判定部と、
を備え、
前記仕訳要素判定部は、前記仕訳要素出力ＡＩが出力した仕訳要素の文字認識の信頼度と、前記画像解析ＡＩが出力した画像認識の信頼度とに基づいて、前記仕訳要素出力部から出力されたテキストの仕訳要素としての妥当性を判定する仕訳要素解析装置。
【請求項２】
請求項１に記載の仕訳要素解析装置と、
前記仕訳要素のテキストを確定する仕訳要素確定部と、
前記仕訳要素確定部により確定された仕訳要素に基づく勘定科目を出力する仕訳部と、を備える会計処理装置。
【請求項３】
コンピュータが、
証憑の画像データ内から仕訳要素に対応する部分を含む領域を指定することを学習した画像解析ＡＩにより証憑の画像データから少なくとも日付、金額を含む仕訳要素に対応する部分を特定する画像解析工程と、
前記画像解析工程により特定された部分の少なくとも一部に対応する仕訳要素をテキストとして出力するための仕訳要素出力ＡＩによって、前記画像解析工程により特定された部分の少なくとも一部に対応する仕訳要素をテキストとして出力する仕訳要素出力工程と、
前記仕訳要素に基づく仕訳を行う前に、前記仕訳要素出力工程にて出力されたテキストの仕訳要素としての妥当性を判定し、該妥当性に応じた２以上の態様で当該テキストに関連する表示情報を出力する仕訳要素判定工程と、を実行し、
前記仕訳要素判定工程では、前記仕訳要素出力ＡＩが出力した仕訳要素の文字認識の信頼度と、前記画像解析ＡＩが出力した画像認識の信頼度とに基づいて、前記仕訳要素出力工程にて出力されたテキストの仕訳要素としての妥当性を判定する仕訳要素解析方法。
【請求項４】
コンピュータに、請求項３に記載の仕訳要素解析方法を実行させるための仕訳要素解析プログラム。
【国際調査報告】
2019146117.tif 000007
2019146117.tif 000008